(57)【要約】【課題】ノブ部材の押圧位置次第で意図しないスイッチが操作される事態を防止する。【解決手段】ノブ部材は、交差する第一回動軸線Ａ１と第二回動軸線Ａ２を有している。第一突起７１は、ノブ部材の中立状態において第二回動軸線Ａ２上に位置するように延びている。第一規制部８１は、第一突起７１の第一回動軸線Ａ１に沿う方向の変位を規制する第一溝９１を区画している。第一突起７１は、ノブ部材の第一回動軸線Ａ１を中心とする回動に伴う第一溝９１に沿う変位と、ノブ部材の第二回動軸線Ａ２を中心とする回動に伴う第一溝９１内における第二回動軸線Ａ２を中心とする回動を許容されている。【選択図】図５
2017216213.tif 000002
【特許請求の範囲】
【請求項１】
支持体と、
第一回動軸線を中心として第一方向に回動することにより第一スイッチを操作し、前記第一回動軸線と交差する第二回動軸線を中心として第二方向に回動することにより第二スイッチを操作し、前記第一回動軸線を中心として前記第一方向とは反対の第三方向に回動することにより第三スイッチを操作し、前記第二回動軸線を中心として前記第二方向とは反対の第四方向に回動することにより第四スイッチを操作するように、前記支持体に支持されているノブ部材と、
前記ノブ部材の中立状態において前記第二回動軸線上に位置するように延びている第一突起と、
前記第一突起の前記第一回動軸線に沿う方向の変位を規制する第一溝を区画している第一規制部と、
前記ノブ部材の中立状態において前記第一回動軸線上に位置するように延びている第二突起と、
前記第二突起の前記第二回動軸線に沿う方向の変位を規制する第二溝を区画している第二規制部と、
を備えており、
前記第一突起は、前記ノブ部材の前記第一方向または前記第三方向への回動に伴う前記第一溝に沿う変位と、前記ノブ部材の前記第二方向または前記第四方向への回動に伴う前記第一溝内における前記第二回動軸線を中心とする回動を許容されており、
前記第二突起は、前記ノブ部材の前記第二方向または前記第四方向への回動に伴う前記第二溝に沿う変位と、前記ノブ部材の前記第一方向または前記第三方向への回動に伴う前記第二溝内における前記第二回動軸線を中心とする回動を許容されている、
スイッチ装置。
【請求項２】
前記ノブ部材の中立状態において前記第二回動軸線上に位置するように延びている第三突起と、
前記第三突起の前記第一回動軸線に沿う方向の変位を規制する第三溝を区画している第三規制部と、
前記ノブ部材の中立状態において前記第一回動軸線上に位置するように延びている第四突起と、
前記第四突起の前記第二回動軸線に沿う方向の変位を規制する第四溝を区画している第四規制部と、
を備えており、
前記第三突起は、前記ノブ部材の前記第一方向または前記第三方向への回動に伴う前記第三溝に沿う変位と、前記ノブ部材の前記第二方向または前記第四方向への回動に伴う前記第三溝内における前記第二回動軸線を中心とする回動を許容されており、
前記第四突起は、前記ノブ部材の前記第二方向または前記第四方向への回動に伴う前記第四溝に沿う変位と、前記ノブ部材の前記第一方向または前記第三方向への回動に伴う前記第四溝内における前記第二回動軸線を中心とする回動を許容されている、
請求項１に記載のスイッチ装置。
【請求項３】
前記第一突起と前記第三突起の対、および前記第一規制部と前記第三規制部の対は、前記第一回動軸線に対して対称に配置されており、
前記第二突起と前記第四突起の対、および前記第二規制部と前記第四規制部の対は、前記第二回動軸線に対して対称に配置されている、
請求項２に記載のスイッチ装置。
【発明の詳細な説明】
【技術分野】
【０００１】
本発明は、スイッチ装置に関する。
【背景技術】
【０００２】
特許文献１は、いわゆる四方向スイッチ装置を開示している。当該四方向スイッチ装置は、ノブ部材とも称される操作体を備えている。操作体は、互いに交差する第一回動軸線と第二回動軸線のそれぞれを中心として回動可能に支持されている。操作体の第一部分が押圧されると、操作体は第一回動軸線を中心として第一方向に回動し、第一スイッチが操作される。操作体の第二部分が押圧されると、操作体は第二回動軸線を中心として第二方向に回動し、第二スイッチが操作される。操作体の第三部分が操作されると、操作体は第一回動軸線を中心として第一方向とは反対の第三方向に回動し、第三スイッチが操作される。操作体の第四部分が押圧されると、操作体は第二回動軸線を中心として第二方向と反対の第四方向に回動し、第四スイッチが操作される。
【先行技術文献】
【特許文献】
【０００３】
【特許文献１】特開２００５−１９０６９８号公報
【発明の概要】
【発明が解決しようとする課題】
【０００４】
例えばユーザがノブ部材の第一部分と第二部分の間の位置を押圧すると、第一部分と第二部分の双方に力が加わる。この場合、ユーザが第一スイッチの操作を意図していたにも関わらず、第二部分により大きな力が加わって第二スイッチが操作されてしまうという事態が起こりうる。
【０００５】
本発明は、ノブ部材の押圧位置次第で意図しないスイッチが操作される事態を防止することを目的とする。
【課題を解決するための手段】
【０００６】
上記の目的を達成するために、本発明がとりうる一態様は、スイッチ装置であって、
支持体と、
第一回動軸線を中心として第一方向に回動することにより第一スイッチを操作し、前記第一回動軸線と交差する第二回動軸線を中心として第二方向に回動することにより第二スイッチを操作し、前記第一回動軸線を中心として前記第一方向とは反対の第三方向に回動することにより第三スイッチを操作し、前記第二回動軸線を中心として前記第二方向とは反対の第四方向に回動することにより第四スイッチを操作するように、前記支持体に支持されているノブ部材と、
前記ノブ部材の中立状態において前記第二回動軸線上に位置するように延びている第一突起と、
前記第一突起の前記第一回動軸線に沿う方向の変位を規制する第一溝を区画している第一規制部と、
前記ノブ部材の中立状態において前記第一回動軸線上に位置するように延びている第二突起と、
前記第二突起の前記第二回動軸線に沿う方向の変位を規制する第二溝を区画している第二規制部と、
を備えており、
前記第一突起は、前記ノブ部材の前記第一方向または前記第三方向への回動に伴う前記第一溝に沿う変位と、前記ノブ部材の前記第二方向または前記第四方向への回動に伴う前記第一溝内における前記第二回動軸線を中心とする回動を許容されており、
前記第二突起は、前記ノブ部材の前記第二方向または前記第四方向への回動に伴う前記第二溝に沿う変位と、前記ノブ部材の前記第一方向または前記第三方向への回動に伴う前記第二溝内における前記第二回動軸線を中心とする回動を許容されている。
【０００７】
このような構成によれば、第一回動軸線と第二回動軸線のいずれか一方を中心とする回動方向が一義的に定まるような操作がノブ部材に対して行なわれた場合、第一突起と第二突起の一方は、対応する第一溝と第二溝の一方に沿って変位し、第一突起と第二突起の他方は、対応する第一溝と第二溝の他方内において対応する回動軸線を中心とする回動を行なう。したがって、意図した通りの操作が円滑になされる。
【０００８】
他方、第一回動軸線と第二回動軸線のいずれか一方を中心とする回動方向が一義的に定まらないような操作がノブ部材に対して行なわれた場合、第一突起と第二突起の変位はともに規制され、ノブ部材の第一回動軸線を中心とする回動と第二回動軸線を中心とする回動のいずれも規制される。したがって、ノブ部材の押圧位置次第で意図しないスイッチが操作される事態を防止できる。
【０００９】
また、ノブ部材の中立状態において、第一突起は第二回動軸線上に位置するように延びており、第二突起は第一回動軸線上に位置するように延びている。したがって、ノブ部材の変位方向（いわゆるストローク方向）に延びるストッパを設けることによってノブ部材の変位を規制する構成と比較すると、ノブ部材のストローク量が小さい場合でも確実に上記の規制動作を遂行できる。したがって、近年高まりつつあるスイッチ装置の薄型化（ノブ部材のストローク方向における寸法を小さくすること）の要求に応えやすい。
【００１０】
上記のスイッチ装置は、以下のように構成されうる。
前記ノブ部材の中立状態において前記第二回動軸線上に位置するように延びている第三突起と、
前記第三突起の前記第一回動軸線に沿う方向の変位を規制する第三溝を区画している第三規制部と、
前記ノブ部材の中立状態において前記第一回動軸線上に位置するように延びている第四突起と、
前記第四突起の前記第二回動軸線に沿う方向の変位を規制する第四溝を区画している第四規制部と、
を備えており、
前記第三突起は、前記ノブ部材の前記第一方向または前記第三方向への回動に伴う前記第三溝に沿う変位と、前記ノブ部材の前記第二方向または前記第四方向への回動に伴う前記第三溝内における前記第二回動軸線を中心とする回動を許容されており、
前記第四突起は、前記ノブ部材の前記第二方向または前記第四方向への回動に伴う前記第四溝に沿う変位と、前記ノブ部材の前記第一方向または前記第三方向への回動に伴う前記第四溝内における前記第二回動軸線を中心とする回動を許容されている。
【００１１】
このような構成によれば、第一回動軸線と第二回動軸線のいずれか一方を中心とする回動方向が一義的に定まるような操作がノブ部材に対して行なわれた場合、第三突起と第四突起の一方は、対応する第三溝と第四溝の一方に沿って変位し、第三突起と第四突起の他方は、対応する第三溝と第四溝の他方内において対応する回動軸線を中心とする回動を行なう。したがって、意図した通りの操作が円滑になされる。
【００１２】
他方、第一回動軸線と第二回動軸線のいずれか一方を中心とする回動方向が一義的に定まらないような操作がノブ部材に対して行なわれた場合、第三突起と第四突起の変位はともに規制され、ノブ部材の第一回動軸線を中心とする回動と第二回動軸線を中心とする回動のいずれも規制される。したがって、ノブ部材の押圧位置次第で意図しないスイッチが操作される事態を防止できる。
【００１３】
前述した第一突起、第二突起、第一規制部、および第二規制部によるノブ部材の案内および規制機能に第三突起、第四突起、第三規制部、および第四規制部によるノブ部材の案内および規制機能が加わるため、ノブ部材の意図した通りの操作がより円滑になされる。また、ノブ部材の押圧位置次第で意図しないスイッチが操作される事態をより確実に防止できる。
【００１４】
また、ノブ部材の中立状態において、第三突起は第二回動軸線上に位置するように延びており、第四突起は第一回動軸線上に位置するように延びている。したがって、ノブ部材の変位方向（いわゆるストローク方向）に延びるストッパを設けることによってノブ部材の変位を規制する構成と比較すると、ノブ部材のストローク量が小さい場合でも確実に上記の規制動作を遂行できる。したがって、近年高まりつつあるスイッチ装置の薄型化（ノブ部材のストローク方向における寸法を小さくすること）の要求に応えやすい。
【００１５】
この場合、上記のスイッチ装置は、以下のように構成されうる。
前記第一突起と前記第三突起の対、および前記第一規制部と前記第三規制部の対は、前記第一回動軸線に対して対称に配置されており、
前記第二突起と前記第四突起の対、および前記第二規制部と前記第四規制部の対は、前記第二回動軸線に対して対称に配置されている。
【００１６】
このような構成によれば、第一規制部による第一突起への作用と第三規制部による第三突起への作用を均等にできる。同様に、第二規制部による第二突起への作用と第四規制部による第四突起への作用を均等にできる。したがって、ノブ部材の操作性が向上する。また、ノブ部材の押圧位置次第で意図しないスイッチが操作される事態をより確実に防止できる。
【発明の効果】
【００１７】
本発明によれば、ノブ部材の押圧位置次第で意図しないスイッチが操作される事態を防止できる。
【図面の簡単な説明】
【００１８】
【図１】一実施形態に係るスイッチ装置の外観を示す図である。
【図２】上記スイッチ装置の動作を説明する図である。
【図３】上記スイッチ装置の動作を説明する図である。
【図４】上記スイッチ装置の動作を説明する図である。
【図５】上記スイッチ装置の動作を説明する図である。
【図６】上記スイッチ装置の動作を説明する図である。
【発明を実施するための形態】
【００１９】
添付の図面を参照しつつ、本発明の実施形態例について以下詳細に説明する。以下の説明に用いる各図面では、各部材を認識可能な大きさとするために縮尺を適宜変更している。「前後」「左右」「上下」という表現は、説明の便宜のために用いており、実際の使用状態における姿勢や方向を限定する意図はない。
【００２０】
図１の（Ａ）は、一実施形態に係るスイッチ装置１の外観を示す平面図である。ケース２とノブ部材３を備えている。ケース２の上面には開口２１が形成されている。ノブ部材３は、開口２１を通じてケース２の外側に露出している。
【００２１】
図１の（Ｂ）は、図１の（Ａ）に示された状態からケース２を取り外したスイッチ装置１の外観を示す平面図である。図２の（Ａ）は、図１の（Ｂ）における線II−IIに沿ってスイッチ装置１の一部を矢印方向から見た断面図である。図３の（Ａ）は、図１の（Ｂ）における線III−IIIに沿ってスイッチ装置１の一部を矢印方向から見た断面図である。
【００２２】
スイッチ装置１は、回路基板４を備えている。回路基板４の表面には、回路が形成されている。図２の（Ａ）と図３の（Ａ）に示されるように、当該回路は、第一接点対４１、第二接点対４２、第三接点対４３、および第四接点対４４を含んでいる。
【００２３】
スイッチ装置１は、アクチュエータユニット５を備えている。図２の（Ａ）と図３の（Ａ）に示されるように、アクチュエータユニット５は、第一アクチュエータ５１、第二アクチュエータ５２、第三アクチュエータ５３、および第四アクチュエータ５４を備えている。第一アクチュエータ５１、第二アクチュエータ５２、第三アクチュエータ５３、および第四アクチュエータ５４は、ゴムなどの弾性復帰力を有する材料で形成されている。
【００２４】
第一アクチュエータ５１の下面には、導電材料からなる第一導電部５１ａが設けられている。第一アクチュエータ５１は、回路基板４の第一接点対４１と対向するように配置されている。中立状態において、第一導電部５１ａと第一接点対４１は、離間している。
【００２５】
第二アクチュエータ５２の下面には、導電材料からなる第二導電部５２ａが設けられている。第二アクチュエータ５２は、回路基板４の第二接点対４２と対向するように配置されている。中立状態において、第二導電部５２ａと第二接点対４２は、離間している。
【００２６】
第三アクチュエータ５３の下面には、導電材料からなる第三導電部５３ａが設けられている。第三アクチュエータ５３は、回路基板４の第三接点対４３と対向するように配置されている。中立状態において、第三導電部５３ａと第三接点対４３は、離間している。
【００２７】
第四アクチュエータ５４の下面には、導電材料からなる第四導電部５４ａが設けられている。第四アクチュエータ５４は、回路基板４の第四接点対４４と対向するように配置されている。中立状態において、第四導電部５４ａと第四接点対４４は、離間している。
【００２８】
スイッチ装置１は、支持体６を備えている。支持体６は、円筒状の内壁部６１を備えている。図３の（Ａ）に示されるように、支持体６は、外壁部６２を備えている。外壁部６２は、内壁部６１の径方向外側の一部に配置されている。外壁部６２は、径方向外側に向けて開口する一対の孔６２ａを有している。
【００２９】
ノブ部材３は、内側ホルダ３１、押圧部材３２、および外側カバー３３を備えている。
【００３０】
内側ホルダ３１は、支持体６の径方向外側に配置されている。図３の（Ａ）に示されるように、内側ホルダ３１は、一対の第一軸部３１ａを備えている。一対の第一軸部３１ａは、支持体６の径方向内側に向かって突出している。一対の第一軸部３１ａは、支持体６の外壁部６２に形成された一対の孔６２ａと嵌合している。各第一軸部３１ａは、対応する孔６２ａの内部で回動可能とされている。これにより、内側ホルダ３１は、第一回動軸線Ａ１を中心として支持体６（外壁部６２）に対して回動可能とされている。すなわち、図２の（Ａ）は、第一回動軸線Ａ１に直交する断面を示している。
【００３１】
押圧部材３２は、内側ホルダ３１を包囲するように配置されている。図２の（Ａ）に示されるように、押圧部材３２は、支持体６の径方向内側へ向けて開口する一対の孔３２ａを有している。他方、内側ホルダ３１は、一対の第二軸部３１ｂを備えている。一対の第二軸部３１ｂは、支持体６の径方向外側に向かって突出している。一対の第二軸部３１ｂは、押圧部材３２に形成された一対の孔３２ａと嵌合している。各第二軸部３１ｂは、対応する孔３２ａの内部で回動可能とされている。これにより、押圧部材３２は、第一回動軸線Ａ１と交差する第二回動軸線Ａ２を中心として内側ホルダ３１に対して回動可能とされている。すなわち、図３の（Ａ）は、第二回動軸線Ａ２に直交する断面を示している。
【００３２】
外側カバー３３は、内側ホルダ３１と押圧部材３２を覆うように配置されている。図１の（Ｂ）、図２の（Ａ）、および図３の（Ａ）に示されるように、外側カバー３３は、第一部分３３１、第二部分３３２、第三部分３３３、および第四部分３３４を有している。他方、押圧部材３２は、第一押圧部３２１、第二押圧部３２２、第三押圧部３２３、および第四押圧部３２４を有している。
【００３３】
図２の（Ａ）と図３の（Ａ）に示されるように、第一部分３３１は、第一押圧部３２１の上面に対向している。第一押圧部３２１の下面は、第一アクチュエータ５１と対向している。第二部分３３２は、第二押圧部３２２の上面に対向している。第二押圧部３２２の下面は、第二アクチュエータ５２と対向している。第三部分３３３は、第三押圧部３２３の上面に対向している。第三押圧部３２３の下面は、第三アクチュエータ５３と対向している。第四部分３３４は、第四押圧部３２４の上面に対向している。第四押圧部３２４の下面は、第四アクチュエータ５４と対向している。
【００３４】
次に、以上のように構成されたスイッチ装置１の動作について以下説明する。
【００３５】
図２の（Ａ）に示されるノブ部材３の中立状態において、第一部分３３１が下方へ押圧されると、図２の（Ｂ）に示されるように、ノブ部材３は、第一回動軸線Ａ１に直交する面内において第一回動軸線Ａ１を中心として時計回り（第一方向の一例）に回動する。これにより、第一押圧部３２１は、第一アクチュエータ５１を弾性変形させつつ下方へ変位させる。第一アクチュエータ５１の第一導電部５１ａが回路基板４上の第一接点対４１に接触すると、第一接点対４１が第一導電部５１ａを介して電気的に接続される。スイッチ装置１は、第一部分３３１の操作に対応する機能を実現するための信号を出力する。すなわち、第一アクチュエータ５１と第一接点対４１は、第一スイッチを構成する。
【００３６】
第一部分３３１の押圧が解除されると、第一アクチュエータ５１の弾性復帰力により第一押圧部３２１が押し上げられ、ノブ部材３は中立状態に復帰する。スイッチ装置１は、第一部分３３１の操作に対応する信号の出力を停止する。
【００３７】
図３の（Ａ）に示されるノブ部材３の中立状態において、第二部分３３２が下方へ押圧されると、図３の（Ｂ）に示されるように、ノブ部材３は、第二回動軸線Ａ２に直交する面内において第二回動軸線Ａ２を中心として時計回り（第二方向の一例）に回動する。これにより、第二押圧部３２２は、第二アクチュエータ５２を弾性変形させつつ下方へ変位させる。第二アクチュエータ５２の第二導電部５２ａが回路基板４上の第二接点対４２に接触すると、第二接点対４２が第二導電部５２ａを介して電気的に接続される。スイッチ装置１は、第二部分３３２の操作に対応する機能を実現するための信号を出力する。すなわち、第二アクチュエータ５２と第二接点対４２は、第二スイッチを構成する。
【００３８】
第二部分３３２の押圧が解除されると、第二アクチュエータ５２の弾性復帰力により第二押圧部３２２が押し上げられ、ノブ部材３は中立状態に復帰する。スイッチ装置１は、第二部分３３２の操作に対応する信号の出力を停止する。
【００３９】
図示を省略するが、図２の（Ａ）に示されるノブ部材３の中立状態において、第三部分３３３が下方へ押圧されると、ノブ部材３は、第一回動軸線Ａ１に直交する面内において第一回動軸線Ａ１を中心として反時計回り（第三方向の一例）に回動する。これにより、第三押圧部３２３は、第三アクチュエータ５３を弾性変形させつつ下方へ変位させる。第三アクチュエータ５３の第三導電部５３ａが回路基板４上の第三接点対４３に接触すると、第三接点対４３が第三導電部５３ａを介して電気的に接続される。スイッチ装置１は、第三部分３３３の操作に対応する機能を実現するための信号を出力する。すなわち、第三アクチュエータ５３と第三接点対４３は、第三スイッチを構成する。
【００４０】
第三部分３３３の押圧が解除されると、第三アクチュエータ５３の弾性復帰力により第三押圧部３２３が押し上げられ、ノブ部材３は中立状態に復帰する。スイッチ装置１は、第三部分３３３の操作に対応する信号の出力を停止する。
【００４１】
図示を省略するが、図３の（Ａ）に示されるノブ部材３の中立状態において、第四部分３３４が下方へ押圧されると、ノブ部材３は、第二回動軸線Ａ２に直交する面内において第二回動軸線Ａ２を中心として反時計回り（第四方向の一例）に回動する。これにより、第四押圧部３２４は、第四アクチュエータ５４を弾性変形させつつ下方へ変位させる。第四アクチュエータ５４の第四導電部５４ａが回路基板４上の第四接点対４４に接触すると、第四接点対４４が第四導電部５４ａを介して電気的に接続される。スイッチ装置１は、第四部分３３４の操作に対応する機能を実現するための信号を出力する。すなわち、第四アクチュエータ５４と第四接点対４４は、第四スイッチを構成する。
【００４２】
第四部分３３４の押圧が解除されると、第四アクチュエータ５４の弾性復帰力により第四押圧部３２４が押し上げられ、ノブ部材３は中立状態に復帰する。スイッチ装置１は、第四部分３３４の操作に対応する信号の出力を停止する。
【００４３】
図１の（Ｂ）に示されるように、スイッチ装置１は、第一突起７１と第一規制部８１を備えている。図４の（Ａ）は、図１の（Ｂ）における矢印ＩＶ１方向から見たスイッチ装置１の外観を示している。図２の（Ａ）と図４の（Ａ）に示されるように、第一突起７１は、ノブ部材３の中立状態において第二回動軸線Ａ２上に位置するように延びている。
【００４４】
図４の（Ａ）に示されるように、第一規制部８１は、第一突起７１を受容する第一溝９１を区画している。第一溝９１は、第二回動軸線Ａ２と直交する平面に沿って延びている。図５の（Ａ）は、図１の（Ｂ）における矢印ＩＶ１方向から見た第一規制部８１の一部を拡大して示している。第一溝９１は、第一内壁９１１と第二内壁９１２を有している。
【００４５】
図１の（Ｂ）に示されるように、スイッチ装置１は、第二突起７２と第二規制部８２を備えている。図６の（Ａ）は、図１の（Ｂ）における矢印ＶＩ２方向から見たスイッチ装置１の外観を示している。図３の（Ａ）と図６の（Ａ）に示されるように、第二突起７２は、ノブ部材３の中立状態において第一回動軸線Ａ１上に位置するように延びている。
【００４６】
図６の（Ａ）に示されるように、第二規制部８２は、第二突起７２を受容する第二溝９２を区画している。第二溝９２は、第一回動軸線Ａ１と直交する平面に沿って延びている。矢印ＶＩ２方向から見た第二突起７２と第二規制部８２の構成は矢印ＩＶ１方向から見た第一突起７１と第一規制部８１の構成と同一であるため、符号のみ図５の（Ａ）に示す。第二溝９２は、第一内壁９２１と第二内壁９２２を有している。
【００４７】
上記のように構成された第一突起７１、第二突起７２、第一規制部８１、および第二規制部８２の機能について以下説明する。
【００４８】
図２の（Ａ）に示されるノブ部材３の中立状態において、第一部分３３１が下方へ押圧されると、図２の（Ｂ）と図６の（Ｂ）に示されるように、第一突起７１は、第一溝９１に沿って下方に移動する。他方、第二突起７２は、第二溝９２内において第一回動軸線Ａ１を中心として反時計回りに回動する。したがって、第一スイッチを操作するためのノブ部材３の動きが円滑に案内される。
【００４９】
図３の（Ａ）に示されるノブ部材３の中立状態において、第二部分３３２が下方へ押圧されると、図３の（Ｂ）と図４の（Ｂ）に示されるように、第二突起７２は、第二溝９２に沿って下方に移動する。他方、第一突起７１は、第一溝９１内において第二回動軸線Ａ２を中心として時計回りに回動する。したがって、第二スイッチを操作するためのノブ部材３の動きが円滑に案内される。
【００５０】
図示を省略するが、図２の（Ａ）に示されるノブ部材３の中立状態において、第三部分３３３が下方へ押圧されると、第一突起７１は、第一溝９１に沿って上方に移動する。他方、第二突起７２は、第二溝９２内において第一回動軸線Ａ１を中心として時計回りに回動する。したがって、第三スイッチを操作するためのノブ部材３の動きが円滑に案内される。
【００５１】
図示を省略するが、図３の（Ａ）に示されるノブ部材３の中立状態において、第四部分３３４が下方へ押圧されると、第二突起７２は、第一溝９１に沿って上方に移動する。他方、第一突起７１は、第一溝９１内において第二回動軸線Ａ２を中心として反時計回りに回動する。したがって、第四スイッチを操作するためのノブ部材３の動きが円滑に案内される。
【００５２】
図１の（Ｂ）に示されるノブ部材３の第一部分３３１と第二部分３３２の間に位置する領域３３１２をユーザが押圧すると、矢印ＩＶ１方向から見て右方へ第一突起７１に力が加わり、矢印ＶＩ２方向から見て左方へ第二突起７２に力が加わる。しかしながら、第一突起７１の右方（第一回動軸線Ａ１に沿う方向の一例）への変位は、第一溝９１の第二内壁９１２によって規制される。同様に、第二突起７２の左方（第二回動軸線Ａ２に沿う方向の一例）への変位は、第二溝９２の第一内壁９２１によって規制される。したがって、ノブ部材３の第一回動軸線Ａ１を中心とする回動と第二回動軸線Ａ２を中心とする回動のいずれも規制される。すなわち、領域３３１２が押圧されてもノブ部材３は変位しない。
【００５３】
図１の（Ｂ）に示されるノブ部材３の第二部分３３２と第三部分３３３の間に位置する領域３３２３をユーザが押圧すると、矢印ＩＶ１方向から見て右方へ第一突起７１に力が加わり、矢印ＶＩ２方向から見て右方へ第二突起７２に力が加わる。しかしながら、第一突起７１の右方（第一回動軸線Ａ１に沿う方向の一例）への変位は、第一溝９１の第二内壁９１２によって規制される。同様に、第二突起７２の右方（第二回動軸線Ａ２に沿う方向の一例）への変位は、第二溝９２の第二内壁９２２によって規制される。したがって、ノブ部材３の第一回動軸線Ａ１を中心とする回動と第二回動軸線Ａ２を中心とする回動のいずれも規制される。すなわち、領域３３２３が押圧されてもノブ部材３は変位しない。
【００５４】
図１の（Ｂ）に示されるノブ部材３の第三部分３３３と第四部分３３４の間に位置する領域３３３４をユーザが押圧すると、矢印ＩＶ１方向から見て左方へ第一突起７１に力が加わり、矢印ＶＩ２方向から見て右方へ第二突起７２に力が加わる。しかしながら、第一突起７１の左方（第一回動軸線Ａ１に沿う方向の一例）への変位は、第一溝９１の第一内壁９１１によって規制される。同様に、第二突起７２の右方（第二回動軸線Ａ２に沿う方向の一例）への変位は、第二溝９２の第二内壁９２２によって規制される。したがって、ノブ部材３の第一回動軸線Ａ１を中心とする回動と第二回動軸線Ａ２を中心とする回動のいずれも規制される。すなわち、領域３３２４が押圧されてもノブ部材３は変位しない。
【００５５】
図１の（Ｂ）に示されるノブ部材３の第四部分３３４と第一部分３３１の間に位置する領域３３４１をユーザが押圧すると、矢印ＩＶ１方向から見て左方へ第一突起７１に力が加わり、矢印ＶＩ２方向から見て左方へ第二突起７２に力が加わる。しかしながら、第一突起７１の左方（第一回動軸線Ａ１に沿う方向の一例）への変位は、第一溝９１の第一内壁９１１によって規制される。同様に、第二突起７２の左方（第二回動軸線Ａ２に沿う方向の一例）への変位は、第二溝９２の第一内壁９２１によって規制される。したがって、ノブ部材３の第一回動軸線Ａ１を中心とする回動と第二回動軸線Ａ２を中心とする回動のいずれも規制される。すなわち、領域３３４１が押圧されてもノブ部材３は変位しない。
【００５６】
上記のように、第一規制部８１は、第一突起７１の第一回動軸線Ａ１に沿う方向の変位を規制する第一溝９１を区画している。第一突起７１は、ノブ部材３の第一回動軸線Ａ１を中心とする回動に伴う第一溝９１に沿う変位と、ノブ部材３の第二回動軸線Ａ２を中心とする回動に伴う第一溝９１内における第二回動軸線Ａ２を中心とする回動を許容されている。
【００５７】
他方、第二規制部８２は、第二突起７２の第二回動軸線Ａ２に沿う方向の変位を規制する第二溝９２を区画している。第二突起７２は、ノブ部材３の第二回動軸線Ａ２を中心とする回動に伴う第二溝９２に沿う変位と、ノブ部材３の第一回動軸線Ａ１を中心とする回動に伴う第二溝９２内における第二回動軸線Ａ２を中心とする回動を許容されている。
【００５８】
このような構成によれば、第一回動軸線Ａ１と第二回動軸線Ａ２のいずれか一方を中心とする回動方向が一義的に定まるような操作がノブ部材３に対して行なわれた場合、第一突起７１と第二突起７２の一方は、対応する第一溝９１と第二溝９２の一方に沿って変位し、第一突起７１と第二突起７２の他方は、対応する第一溝９１と第二溝９２の他方内において対応する回動軸線を中心とする回動を行なう。したがって、意図した通りの操作が円滑になされる。
【００５９】
他方、第一回動軸線Ａ１と第二回動軸線Ａ２のいずれか一方を中心とする回動方向が一義的に定まらないような操作がノブ部材３に対して行なわれた場合、第一突起７１と第二突起７２の変位はともに規制され、ノブ部材３の第一回動軸線Ａ１を中心とする回動と第二回動軸線Ａ２を中心とする回動のいずれも規制される。したがって、ノブ部材３の押圧位置次第で意図しないスイッチが操作される事態を防止できる。
【００６０】
また、ノブ部材３の中立状態において、第一突起７１は第二回動軸線Ａ２上に位置するように延びており、第二突起７２は第一回動軸線Ａ１上に位置するように延びている。したがって、ノブ部材３の変位方向（いわゆるストローク方向）に延びるストッパを設けることによってノブ部材３の変位を規制する構成と比較すると、ノブ部材３のストローク量が小さい場合でも確実に上記の規制動作を遂行できる。したがって、近年高まりつつあるスイッチ装置の薄型化（ノブ部材のストローク方向における寸法を小さくすること）の要求に応えやすい。
【００６１】
本実施形態においては、図５の（Ａ）に示されるように、第一突起７１と第二突起７２は、円形の断面を有する軸体である。
【００６２】
このような構成によれば、第一規制部８１と第二規制部８２の構造を簡素にできる。すなわち、第一突起７１に対して前述した回動の許容と変位の規制を行なうために、第一溝９１の第一内壁９１１と第二内壁９１２は、ストレートに延びる平坦面とされうる。同様に、第二突起７２に対して前述した回動の許容と変位の規制を行なうために、第二溝９２の第一内壁９２１と第二内壁９２２は、ストレートに延びる平坦面とされうる。したがって、ノブ部材３の押圧位置次第で意図しないスイッチが操作される事態を防止するために構成を低コストで提供できる。
【００６３】
図１の（Ｂ）に示されるように、スイッチ装置１は、第三突起７３と第三規制部８３を備えている。矢印ＩＶ３方向から見た第三突起７３と第三規制部８３の外観は矢印ＩＶ１方向から見た第一突起７１と第一規制部８１の外観と同一であるため、符号のみ図４の（Ａ）に示す。図２の（Ａ）と図４の（Ａ）に示されるように、第三突起７３は、ノブ部材３の中立状態において第二回動軸線Ａ２上に位置するように延びている。
【００６４】
図４の（Ａ）に示されるように、第三規制部８３は、第三突起７３を受容する第三溝９３を区画している。第三溝９３は、第二回動軸線Ａ２と直交する平面に沿って延びている。矢印ＩＶ３方向から見た第三突起７３と第三規制部８３の構成は矢印ＩＶ１方向から見た第一突起７１と第一規制部８１の構成と同一であるため、符号のみ図５の（Ａ）に示す。第三溝９３は、第一内壁９３１と第二内壁９３２を有している。
【００６５】
図１の（Ｂ）に示されるように、スイッチ装置１は、第四突起７４と第四規制部８４を備えている。矢印ＶＩ４方向から見た第四突起７４と第四規制部８４の外観は矢印ＶＩ２方向から見た第二突起７２と第二規制部８２の外観と同一であるため、符号のみ図６の（Ａ）に示す。図３の（Ａ）と図６の（Ａ）に示されるように、第四突起７４は、ノブ部材３の中立状態において第一回動軸線Ａ１上に位置するように延びている。
【００６６】
図６の（Ａ）に示されるように、第四規制部８４は、第四突起７４を受容する第四溝９４を区画している。第四溝９４は、第一回動軸線Ａ１と直交する平面に沿って延びている。矢印ＶＩ４方向から見た第四突起７４と第四規制部８４の構成は矢印ＩＶ１方向から見た第一突起７１と第一規制部８１の構成と同一であるため、符号のみ図５の（Ａ）に示す。第四溝９４は、第一内壁９４１と第二内壁９４２を有している。
【００６７】
上記のように構成された第三突起７３、第四突起７４、第三規制部８３、および第四規制部８４の機能について以下説明する。
【００６８】
図２の（Ａ）に示されるノブ部材３の中立状態において、第一部分３３１が下方へ押圧されると、図２の（Ｂ）と図６の（Ｂ）に示されるように、第三突起７３は、第一溝９１に沿って上方に移動する。他方、第四突起７４は、第四溝９４内において第一回動軸線Ａ１を中心として時計回りに回動する。したがって、第一スイッチを操作するためのノブ部材３の動きが円滑に案内される。
【００６９】
図３の（Ａ）に示されるノブ部材３の中立状態において、第二部分３３２が下方へ押圧されると、図３の（Ｂ）と図４の（Ｂ）に示されるように、第四突起７４は、第二溝９２に沿って上方に移動する。他方、第三突起７３は、第三溝９３内において第二回動軸線Ａ２を中心として反時計回りに回動する。したがって、第二スイッチを操作するためのノブ部材３の動きが円滑に案内される。
【００７０】
図示を省略するが、図２の（Ａ）に示されるノブ部材３の中立状態において、第三部分３３３が下方へ押圧されると、第三突起７３は、第三溝９３に沿って下方に移動する。他方、第四突起７４は、第四溝９４内において第一回動軸線Ａ１を中心として反時計回りに回動する。したがって、第三スイッチを操作するためのノブ部材３の動きが円滑に案内される。
【００７１】
図示を省略するが、図３の（Ａ）に示されるノブ部材３の中立状態において、第四部分３３４が下方へ押圧されると、第四突起７４は、第四溝９４に沿って下方に移動する。他方、第三突起７３は、第三溝９３内において第二回動軸線Ａ２を中心として時計回りに回動する。したがって、第四スイッチを操作するためのノブ部材３の動きが円滑に案内される。
【００７２】
図１の（Ｂ）に示されるノブ部材３の第一部分３３１と第二部分３３２の間に位置する領域３３１２をユーザが押圧すると、矢印ＩＶ３方向から見て左方へ第三突起７３に力が加わり、矢印ＶＩ４方向から見て右方へ第四突起７４に力が加わる。しかしながら、第三突起７３の左方（第一回動軸線Ａ１に沿う方向の一例）への変位は、第三溝９３の第一内壁９３１によって規制される。同様に、第四突起７４の右方（第二回動軸線Ａ２に沿う方向の一例）への変位は、第四溝９４の第二内壁９４２によって規制される。したがって、ノブ部材３の第一回動軸線Ａ１を中心とする回動と第二回動軸線Ａ２を中心とする回動のいずれも規制される。すなわち、領域３３１２が押圧されてもノブ部材３は変位しない。
【００７３】
図１の（Ｂ）に示されるノブ部材３の第二部分３３２と第三部分３３３の間に位置する領域３３２３をユーザが押圧すると、矢印ＩＶ３方向から見て左方へ第三突起７３に力が加わり、矢印ＶＩ４方向から見て左方へ第四突起７４に力が加わる。しかしながら、第三突起７３の左方（第一回動軸線Ａ１に沿う方向の一例）への変位は、第三溝９３の第一内壁９３１によって規制される。同様に、第四突起７４の左方（第二回動軸線Ａ２に沿う方向の一例）への変位は、第四溝９４の第一内壁９４１によって規制される。したがって、ノブ部材３の第一回動軸線Ａ１を中心とする回動と第二回動軸線Ａ２を中心とする回動のいずれも規制される。すなわち、領域３３２３が押圧されてもノブ部材３は変位しない。
【００７４】
図１の（Ｂ）に示されるノブ部材３の第三部分３３３と第四部分３３４の間に位置する領域３３３４をユーザが押圧すると、矢印ＩＶ３方向から見て右方へ第三突起７３に力が加わり、矢印ＶＩ４方向から見て左方へ第四突起７４に力が加わる。しかしながら、第三突起７３の右方（第一回動軸線Ａ１に沿う方向の一例）への変位は、第三溝９３の第二内壁９３２によって規制される。同様に、第四突起７４の左方（第二回動軸線Ａ２に沿う方向の一例）への変位は、第四溝９４の第一内壁９４１によって規制される。したがって、ノブ部材３の第一回動軸線Ａ１を中心とする回動と第二回動軸線Ａ２を中心とする回動のいずれも規制される。すなわち、領域３３２４が押圧されてもノブ部材３は変位しない。
【００７５】
図１の（Ｂ）に示されるノブ部材３の第四部分３３４と第一部分３３１の間に位置する領域３３４１をユーザが押圧すると、矢印ＩＶ３方向から見て右方へ第三突起７３に力が加わり、矢印ＶＩ４方向から見て右方へ第四突起７４に力が加わる。しかしながら、第三突起７３の右方（第一回動軸線Ａ１に沿う方向の一例）への変位は、第三溝９３の第二内壁９３２によって規制される。同様に、第四突起７４の右方（第二回動軸線Ａ２に沿う方向の一例）への変位は、第四溝９４の第二内壁９４２によって規制される。したがって、ノブ部材３の第一回動軸線Ａ１を中心とする回動と第二回動軸線Ａ２を中心とする回動のいずれも規制される。すなわち、領域３３４１が押圧されてもノブ部材３は変位しない。
【００７６】
上記のように、第三規制部８３は、第三突起７３の第一回動軸線Ａ１に沿う方向の変位を規制する第三溝９３を区画している。第三突起７３は、ノブ部材３の第一回動軸線Ａ１を中心とする回動に伴う第三溝９３に沿う変位と、ノブ部材３の第二回動軸線Ａ２を中心とする回動に伴う第三溝９３内における第二回動軸線Ａ２を中心とする回動を許容されている。
【００７７】
他方、第四規制部８４は、第四突起７４の第二回動軸線Ａ２に沿う方向の変位を規制する第四溝９４を区画している。第四突起７４は、ノブ部材３の第二回動軸線Ａ２を中心とする回動に伴う第四溝９４に沿う変位と、ノブ部材３の第一回動軸線Ａ１を中心とする回動に伴う第四溝９４内における第二回動軸線Ａ２を中心とする回動を許容されている。
【００７８】
このような構成によれば、第一回動軸線Ａ１と第二回動軸線Ａ２のいずれか一方を中心とする回動方向が一義的に定まるような操作がノブ部材３に対して行なわれた場合、第三突起７３と第四突起７４の一方は、対応する第三溝９３と第四溝９４の一方に沿って変位し、第三突起７３と第四突起７４の他方は、対応する第三溝９３と第四溝９４の他方内において対応する回動軸線を中心とする回動を行なう。したがって、意図した通りの操作が円滑になされる。
【００７９】
他方、第一回動軸線Ａ１と第二回動軸線Ａ２のいずれか一方を中心とする回動方向が一義的に定まらないような操作がノブ部材３に対して行なわれた場合、第三突起７３と第四突起７４の変位はともに規制され、ノブ部材３の第一回動軸線Ａ１を中心とする回動と第二回動軸線Ａ２を中心とする回動のいずれも規制される。したがって、ノブ部材３の押圧位置次第で意図しないスイッチが操作される事態を防止できる。
【００８０】
前述した第一突起７１、第二突起７２、第一規制部８１、および第二規制部８２によるノブ部材３の案内および規制機能に第三突起７３、第四突起７４、第三規制部８３、および第四規制部８４によるノブ部材の案内および規制機能が加わるため、ノブ部材３の意図した通りの操作がより円滑になされる。また、ノブ部材３の押圧位置次第で意図しないスイッチが操作される事態をより確実に防止できる。
【００８１】
また、ノブ部材３の中立状態において、第三突起７３は第二回動軸線Ａ２上に位置するように延びており、第四突起７４は第一回動軸線Ａ１上に位置するように延びている。したがって、ノブ部材３の変位方向（いわゆるストローク方向）に延びるストッパを設けることによってノブ部材３の変位を規制する構成と比較すると、ノブ部材３のストローク量が小さい場合でも確実に上記の規制動作を遂行できる。したがって、近年高まりつつあるスイッチ装置の薄型化（ノブ部材のストローク方向における寸法を小さくすること）の要求に応えやすい。
【００８２】
本実施形態においては、図１の（Ｂ）に示されるように、第一突起７１と第三突起７３の対、および第一規制部８１と第三規制部８３の対は、第一回動軸線Ａ１に対して対称に配置されている。他方、第二突起７２と第四突起７４の対、および第二規制部８２と第四規制部８４の対は、第二回動軸線Ａ２に対して対称に配置されている。
【００８３】
このような構成によれば、第一規制部８１による第一突起７１への作用と第三規制部８３による第三突起７３への作用を均等にできる。同様に、第二規制部８２による第二突起７２への作用と第四規制部８４による第四突起７４への作用を均等にできる。したがって、ノブ部材３の操作性が向上する。また、ノブ部材３の押圧位置次第で意図しないスイッチが操作される事態をより確実に防止できる。
【００８４】
本実施形態においては、図５の（Ａ）に示されるように、第三突起７３と第四突起７４は、円形の断面を有する軸体である。
【００８５】
このような構成によれば、第三規制部８３と第四規制部８４の構造を簡素にできる。すなわち、第三突起７３に対して前述した回動の許容と変位の規制を行なうために、第三溝９３の第一内壁９３１と第二内壁９３２は、ストレートに延びる平坦面とされうる。同様に、第四突起７４に対して前述した回動の許容と変位の規制を行なうために、第四溝９４の第一内壁９４１と第二内壁９４２は、ストレートに延びる平坦面とされうる。したがって、ノブ部材３の押圧位置次第で意図しないスイッチが操作される事態を防止するために構成を低コストで提供できる。
【００８６】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００８７】
上記の実施形態においては、第一突起７１、第二突起７２、第三突起７３、および第四突起７４は、円形の断面を有する軸体である。しかしながら、第一突起７１、第二突起７２、第三突起７３、および第四突起７４の各々に対して前述した回動の許容と変位の規制が可能であれば、第一突起７１、第二突起７２、第三突起７３、および第四突起７４の少なくとも一つについて図５の（Ｂ）に示される構成が採用されうる。
【００８８】
当該変形例に係る第一突起７１Ａを代表して説明する。第一突起７１Ａは、矩形の断面を有している。すなわち、第一突起７１Ａは、平坦な側面を有している。他方、当該変形例に係る第一規制部８１Ａは、第一溝９１Ａを区画している。第一溝９１Ａは、第一内壁９１１Ａと第二内壁９１２Ａを有している。第一内壁９１１Ａの一部と第二内壁９１２Ａの一部は、傾斜面により形成された稜部とされている。当該稜部により、第一突起７１Ａの第二回動軸線Ａ２を中心とする回動が許容されるとともに、第一回動軸線Ａ１に沿う方向への変位が規制される。
【００８９】
上記の実施形態においては、第一突起７１は、第一溝９１の第一内壁９１１および第二内壁９１２と接触している。しかしながら、第一回動軸線Ａ１と第二回動軸線Ａ２のいずれか一方を中心とする回動方向が一義的に定まらないような操作がノブ部材３に対して行なわれた場合において第一突起７１の第一回動軸線Ａ１に沿う方向への変位が然るべく規制されるのであれば、ノブ部材３の中立状態において第一内壁９１１と第二内壁９１２の少なくとも一方と第一突起７１の間に隙間があってもよい。第三突起７３と第三溝９３についても同様である。
【００９０】
上記の実施形態においては、第二突起７２は、第二溝９２の第一内壁９２１および第二内壁９２２と接触している。しかしながら、第一回動軸線Ａ１と第二回動軸線Ａ２のいずれか一方を中心とする回動方向が一義的に定まらないような操作がノブ部材３に対して行なわれた場合において第二突起７２の第二回動軸線Ａ２に沿う方向への変位が然るべく規制されるのであれば、ノブ部材３の中立状態において第一内壁９２１と第二内壁９２２の少なくとも一方と第二突起７２の間に隙間があってもよい。第四突起７４と第四溝９４についても同様である。
【００９１】
上記の実施形態においては、第一突起７１、第二突起７２、第三突起７３、および第四突起７４は、ノブ部材３に設けられており、それぞれノブ部材３の外側に設けられた第一規制部８１、第二規制部８２、第三規制部８３、および第四規制部８４により回動の許容と変位の規制を受ける。
【００９２】
このような構成によれば、回動の許容と変位の規制を実現するための構造を比較的容易に成形できる。したがって、ノブ部材３の押圧位置次第で意図しないスイッチが操作される事態を防止するために構成を低コストで提供できる。
【００９３】
しかしながら、第一突起７１、第二突起７２、第三突起７３、および第四突起７４の少なくとも一つがノブ部材３の外側に設けられ、第一溝９１、第二溝９２、第三溝９３、および第四溝９４の少なくとも一つがノブ部材３に形成される構成が採用されうる。
【００９４】
上記の実施形態においては、第一回動軸線Ａ１を中心とするノブ部材３の回動を実現するために、支持体６の外壁部６２に一対の孔６２ａが形成され、ノブ部材３の内側ホルダ３１に一対の第一軸部３１ａが形成されている。しかしながら、第一回動軸線Ａ１を中心とするノブ部材３の回動を実現できれば、外壁部６２の側に一対の第一軸部が形成され、内側ホルダ３１の側に一対の孔が形成される構成も採用されうる。
【００９５】
上記の実施形態においては、第二回動軸線Ａ２を中心とするノブ部材３の回動を実現するために、ノブ部材３の押圧部材３２に一対の孔３２ａが形成され、内側ホルダ３１に一対の第二軸部３１ｂが形成されている。しかしながら、第二回動軸線Ａ２を中心とするノブ部材３の回動を実現できれば、押圧部材３２の側に一対の第二軸部が形成され、内側ホルダ３１側に一対の孔が形成される構成も採用されうる。
【符号の説明】
【００９６】
１：スイッチ装置、３：ノブ部材、６：支持体、７１：第一突起、７２：第二突起、７３：第三突起、７４：第四突起、８１：第一規制部、８２：第二規制部、８３：第三規制部、８４：第四規制部、９１：第一溝、９２：第二溝、９３：第三溝、９４：第四溝、Ａ１：第一回動軸線、Ａ２：第二回動軸
【図１】
2017216213.tif 000003
【図２】
2017216213.tif 000004
【図３】
2017216213.tif 000005
【図４】
2017216213.tif 000006
【図５】
2017216213.tif 000007
【図６】
2017216213.tif 000008